(57)【要約】【課題】コンクリート製電柱の全体を確実かつ効率的に補強するコンクリート製電柱の補強方法および該方法を補強されたコンクリート製電柱を提供する。【解決手段】コンクリート製電柱の末口蓋１ｄを取り外し、複数の棒状の下部補強材５をコンクリート製電柱の開口部１ｅから中空部３内に下端部が底に到達するまで垂れ下ろすように挿入し、この挿入された複数の下部補強材５を中空部３内に均等に配置し、中空部３内に無収縮モルタル６７を投入して複数の下部補強材５の間の隙間を充填し、上部補強材１３を開口部１ｅから中空部３内に下端部が下部補強材５の上端部付近に到達するまで中空部３内に挿入し、上部補強材１３が挿入された中空部３内に無収縮モルタル６７を投入し、コンクリート製電柱の頂頭部１ｃの開口部１ｅが塞がるまで中空部３内を無収縮モルタル６７で充填する。【選択図】図１
2005307479.tif 000002
【特許請求の範囲】
【請求項１】
立設されたコンクリート製電柱を補強するコンクリート製電柱の補強方法であって、
前記コンクリート製電柱の頂頭部の開口部を閉塞するように頂頭部に取り付けられている蓋を取り外す第１のステップと、
所定の長さを有する複数の棒状の下部補強材の上端部に紐を取り付け、下端部に重棒を取り付け、前記蓋を取り外された開口部から、各下部補強材をその下端部を先にしてコンクリート製電柱の中空部に挿入し、開口部の外側で各下部補強材の紐を保持しながら各下部補強材の下端部がコンクリート製電柱内の底に到達するまで各下部補強材を中空部内に吊り下ろし、各下部補強材の下端部がコンクリート製電柱内の底に到達した後、各下部補強材の紐を開口部の上縁にかけて開口部の外側に垂れ下ろす第２のステップと、
コンクリート製電柱の中空部内に挿入された複数の下部補強材を中空部内に均等に配置する第３のステップと、
複数の下部補強材が均等に配置された状態で開口部から中空部内に隙間充填材を投入して、複数の下部補強材の間の隙間を充填する第４のステップと、
この隙間充填材を投入された複数の下部補強材の上端部からコンクリート製電柱の頂頭部までの長さを有する棒状の上部補強材を開口部から中空部内に挿入し、その下端部が複数の下部補強材の上端部付近に到達するまで中空部内に吊り下ろす第５のステップと、
この上部補強材が吊り下ろされた中空部内に隙間充填材を投入し、コンクリート製電柱の頂頭部の開口部が塞がるまで中空部内を隙間充填材で充填する第６のステップと
を有することを特徴とするコンクリート製電柱の補強方法。
【請求項２】
前記複数の下部補強材を中空部内に均等に配置する第３のステップは、
複数の下部補強材を中空部内で均等に配置するための均等配置手段が取り付けられていて下部補強材とほぼ同じ長さの配置調整用棒状部材をその下端部を先にして開口部から中空部内のほぼ中央部に挿入しつつ、複数の下部補強材の上端部から開口部の外側に垂れ下ろされている紐を前記均等配置手段の複数の貫通部に貫通させ、
前記複数の貫通部をそれぞれ貫通した複数の下部補強材の紐を開口部の外側で保持して複数の下部補強材を僅かに持ち上げるようにしながら配置調整用棒状部材を中空部内に徐々に吊り下ろしつつ複数の下部補強材を均等に配置し、
配置調整用棒状部材をその上端部が開口部近傍に位置するまで吊り下ろしたとき、配置調整用棒状部材の上端部に延長用棒状部材の下端部を遠隔的に取り外し可能に連結し、
この連結された延長用棒状部材を保持しつつ配置均等用棒状部材を更に中空部内に吊り下ろし、配置調整用棒状部材の下端部がコンクリート製電柱内の底に到達したとき、延長用棒状部材を配置調整用棒状部材との連結から解除して中空部から取り出し、配置調整用棒状部のみを中空部内に残す
ことを特徴とする請求項１記載のコンクリート製電柱の補強方法。
【請求項３】
複数の下部補強材または配置調整用棒状部材をその下端部を先にして開口部から中空部内に挿入する処理は、
上端部に環状部を有し、この環状部から最下端部までの長さが下部補強材の長さよりも短く、環状部と最下端部との間には切り欠き部を有するＣ字形の円弧部が環状部にほぼ並行に設けられている振れ止め手段の最下端部をコンクリート製電柱の頂頭部に取り付け、
下部補強材または配置調整用棒状部材の開口部から中空部への挿入においては、下部補強材または配置調整用棒状部材の上端部を前記切り欠き部から環状部内へと下方から上方に向けて挿入し、この下部補強材または配置調整用棒状部材の上端部寄りを環状部に寄りかからせて振れを防止しながら下部補強材または配置調整用棒状部材を上方に押し上げ、下部補強材または配置調整用棒状部材の下端部が頂頭部を超えたら、この下端部をコンクリート製電柱の開口部から中空部内に挿入するように下部補強材または配置調整用棒状部材を下方に押し下げる
ことを特徴とする請求項２記載のコンクリート製電柱の補強方法。
【請求項４】
前記下部補強材および上部補強材は、アラミド繊維で形成される棒状のアラミドロッドと、このアラミドロッドの下端部に取り付けられた重棒とを有することを特徴とする請求項１乃至３のいずれか１項に記載のコンクリート製電柱の補強方法。
【請求項５】
前記均等配置手段は、前記配置調整用棒状部材に複数取り付けられ、
前記均等配置手段は、
前記配置調整用棒状部材に摺動自在に取り付けられる可動連結部と、
前記配置調整用棒状部材に固定的に取り付けられる固定連結部と、
一端が前記可動連結部に回動自在に取り付けられ、配置調整用棒状部材を中心に配置調整用棒状部材から放射状かつ均等に取り付けられる複数の上腕部と、
一端が前記複数の上腕部のそれぞれの他端寄りに回動自在に連結され、他端が前記固定連結部に回動自在に取り付けられる複数の下腕部と、
前記回動自在に連結された上腕部と下腕部のいずれか一方に連結される複数の貫通部と
を有することを特徴とする請求項２乃至４のいずれか１項に記載のコンクリート製電柱の補強方法。
【請求項６】
前記第６のステップで中空部内を隙間充填材で充填した後、コンクリート製電柱の頂頭部の開口部を蓋で閉塞することを特徴とする請求項１乃至５のいずれか１項に記載のコンクリート製電柱の補強方法。
【請求項７】
前記蓋を取り外す第１のステップは、コンクリート製電柱の頂頭部の周囲に落下防止ネットを取り付けてから行われることを特徴とする請求項１乃至６のいずれか１項に記載のコンクリート製電柱の補強方法。
【請求項８】
前記第１のステップで蓋を取り外してコンクリート製電柱の開口部が露呈した後、コンクリート製電柱の中空部内の状態を確認する中空部内確認ステップを有することを特徴とする請求項１乃至７のいずれか１項に記載のコンクリート製電柱の補強方法。
【請求項９】
前記第３のステップで複数の下部補強材を中空部内に均等に配置した後、複数の下部補強材が中空部内に均等に配置されているか否かを確認する補強材配置状況確認ステップを有することを特徴とする請求項１乃至８のいずれか１項に記載のコンクリート製電柱の補強方法。
【請求項１０】
前記複数の下部補強材の間の隙間を隙間充填材を充填する第４のステップは、少なくとも複数の下部補強材の上端部が隠れる程度まで隙間充填材を充填することを特徴とする請求項１乃至９のいずれか１項に記載のコンクリート製電柱の補強方法。
【請求項１１】
前記隙間充填材は、無収縮モルタルであることを特徴とする請求項１乃至１０のいずれか１項に記載のコンクリート製電柱の補強方法。
【請求項１２】
請求項１乃至１１のいずれか１項に記載のコンクリート製電柱の補強方法で補強されることを特徴とするコンクリート製電柱。
【発明の詳細な説明】
【技術分野】
【０００１】
本発明は、立設されたコンクリート製電柱を補強するコンクリート製電柱の補強方法および該方法で補強されたコンクリート製電柱に関する。
【背景技術】
【０００２】
図２１（ａ）に示すように、下方の基端部が地中に埋設されて立設されているコンクリート製電柱１は、図２１（ｂ）に横断面を示すように、その周囲が鉄筋１ａとコンクリート１ｂからなる外周部で囲まれているのみであって、内部は空洞であり、ここに中空部３が形成されている。また、コンクリート製電柱１の最上端部である頂頭部１ｃには蓋、すなわち未口蓋１ｄが取り付けられ、コンクリート製電柱１の中空部３内に雨などが入らないようになっている。
【０００３】
このように内部が空洞に形成されたコンクリート製電柱１は、経年変化などにより劣化してくると、強度が弱ってくるものであるため、このようなコンクリート製電柱１を補強することが従来行われている。
【０００４】
このようなコンクリート製電柱１の補強は、従来、コンクリート製電柱１の地中に埋設された下端部と地中から延出した地際に近い部分に対して重点的に行なうためにコンクリート製電柱１の地際から上方の例えば１．０５ｍの側面に形成されたアース孔等の第１の開口部またはこの開口部より少し上方に形成された第２の開口部からコンクリート製電柱１の中空部３に補強材としての棒状部材を複数挿入し、それから複数の棒状部材の隙間に例えば豆砂利や砕石を投入し、更にモルタルやコンクリートなどを順次投入し、これによりコンクリート製電柱１の最下端部から前記アース孔が形成されている部分付近までを重点的に補強している。
【特許文献１】特願２００３−２４１７６号
【発明の開示】
【発明が解決しようとする課題】
【０００５】
上述したように、従来のコンクリート製電柱の補強方法では、コンクリート製電柱１の最下端部から地際に近いアース孔が形成されている部分付近までを重点的に補強しているため、このアース孔よりも上方の部分は内部が空洞のままであり、この上方の部分も劣化により強度が弱ってくるという問題があり、この部分も含んでコンクリート製電柱全体の補強も要望されている。
【０００６】
本発明は、上記に鑑みてなされたもので、その目的とするところは、コンクリート製電柱の全体を確実かつ効率的に補強するコンクリート製電柱の補強方法および該方法を補強されたコンクリート製電柱を提供することにある。
【課題を解決するための手段】
【０００７】
上記目的を達成するため、請求項１記載の本発明のコンクリート製電柱の補強方法は、立設されたコンクリート製電柱を補強するコンクリート製電柱の補強方法であって、前記コンクリート製電柱の頂頭部の開口部を閉塞するように頂頭部に取り付けられている蓋を取り外す第１のステップと、所定の長さを有する複数の棒状の下部補強材の上端部に紐を取り付け、下端部に重棒を取り付け、前記蓋を取り外された開口部から、各下部補強材をその下端部を先にしてコンクリート製電柱の中空部に挿入し、開口部の外側で各下部補強材の紐を保持しながら各下部補強材の下端部がコンクリート製電柱内の底に到達するまで各下部補強材を中空部内に吊り下ろし、各下部補強材の下端部がコンクリート製電柱内の底に到達した後、各下部補強材の紐を開口部の上縁にかけて開口部の外側に垂れ下ろす第２のステップと、コンクリート製電柱の中空部内に挿入された複数の下部補強材を中空部内に均等に配置する第３のステップと、複数の下部補強材が均等に配置された状態で開口部から中空部内に隙間充填材を投入して、複数の下部補強材の間の隙間を充填する第４のステップと、この隙間充填材を投入された複数の下部補強材の上端部からコンクリート製電柱の頂頭部までの長さを有する棒状の上部補強材を開口部から中空部内に挿入し、その下端部が複数の下部補強材の上端部付近に到達するまで中空部内に吊り下ろす第５のステップと、この上部補強材が吊り下ろされた中空部内に隙間充填材を投入し、コンクリート製電柱の頂頭部の開口部が塞がるまで中空部内を隙間充填材で充填する第６のステップとを有することを要旨とする。
【０００８】
請求項２記載の本発明のコンクリート製電柱の補強方法は、前記複数の下部補強材を中空部内に均等に配置する第３のステップが、複数の下部補強材を中空部内で均等に配置するための均等配置手段が取り付けられていて下部補強材とほぼ同じ長さの配置調整用棒状部材をその下端部を先にして開口部から中空部内のほぼ中央部に挿入しつつ、複数の下部補強材の上端部から開口部の外側に垂れ下ろされている紐を前記均等配置手段の複数の貫通部に貫通させ、前記複数の貫通部をそれぞれ貫通した複数の下部補強材の紐を開口部の外側で保持して複数の下部補強材を僅かに持ち上げるようにしながら配置調整用棒状部材を中空部内に徐々に吊り下ろしつつ複数の下部補強材を均等に配置し、配置調整用棒状部材をその上端部が開口部近傍に位置するまで吊り下ろしたとき、配置調整用棒状部材の上端部に延長用棒状部材の下端部を遠隔的に取り外し可能に連結し、この連結された延長用棒状部材を保持しつつ配置均等用棒状部材を更に中空部内に吊り下ろし、配置調整用棒状部材の下端部がコンクリート製電柱内の底に到達したとき、延長用棒状部材を配置調整用棒状部材との連結から解除して中空部から取り出し、配置調整用棒状部のみを中空部内に残すことを要旨とする。
【０００９】
請求項３記載の本発明のコンクリート製電柱の補強方法は、複数の下部補強材または配置調整用棒状部材をその下端部を先にして開口部から中空部内に挿入する処理が、上端部に環状部を有し、この環状部から最下端部までの長さが下部補強材の長さよりも短く、環状部と最下端部との間には切り欠き部を有するＣ字形の円弧部が環状部にほぼ並行に設けられている振れ止め手段の最下端部をコンクリート製電柱の頂頭部に取り付け、下部補強材または配置調整用棒状部材の開口部から中空部への挿入においては、下部補強材または配置調整用棒状部材の上端部を前記切り欠き部から環状部内へと下方から上方に向けて挿入し、この下部補強材または配置調整用棒状部材の上端部寄りを環状部に寄りかからせて振れを防止しながら下部補強材または配置調整用棒状部材を上方に押し上げ、下部補強材または配置調整用棒状部材の下端部が頂頭部を超えたら、この下端部をコンクリート製電柱の開口部から中空部内に挿入するように下部補強材または配置調整用棒状部材を下方に押し下げることを要旨とする。
【００１０】
請求項４記載の本発明のコンクリート製電柱の補強方法は、前記下部補強材および上部補強材が、アラミド繊維で形成される棒状のアラミドロッドと、このアラミドロッドの下端部に取り付けられた重棒とを有することを要旨とする。
【００１１】
請求項５記載の本発明のコンクリート製電柱の補強方法は、前記均等配置手段が、前記配置調整用棒状部材に複数取り付けられ、前記均等配置手段が、前記配置調整用棒状部材に摺動自在に取り付けられる可動連結部と、前記配置調整用棒状部材に固定的に取り付けられる固定連結部と、一端が前記可動連結部に回動自在に取り付けられ、配置調整用棒状部材を中心に配置調整用棒状部材から放射状かつ均等に取り付けられる複数の上腕部と、一端が前記複数の上腕部のそれぞれの他端寄りに回動自在に連結され、他端が前記固定連結部に回動自在に取り付けられる複数の下腕部と、前記回動自在に連結された上腕部と下腕部のいずれか一方に連結される複数の貫通部とを有することを要旨とする。
【００１２】
請求項６記載の本発明のコンクリート製電柱の補強方法は、前記第６のステップで中空部内を隙間充填材で充填した後、コンクリート製電柱の頂頭部の開口部を蓋で閉塞することを要旨とする。
【００１３】
請求項７記載の本発明のコンクリート製電柱の補強方法は、前記蓋を取り外す第１のステップが、コンクリート製電柱の頂頭部の周囲に落下防止ネットを取り付けてから行われることを要旨とする。
【００１４】
請求項８記載の本発明のコンクリート製電柱の補強方法は、前記第１のステップで蓋を取り外してコンクリート製電柱の開口部が露呈した後、コンクリート製電柱の中空部内の状態を確認する中空部内確認ステップを有することを要旨とする。
【００１５】
請求項９記載の本発明のコンクリート製電柱の補強方法は、前記第３のステップで複数の下部補強材を中空部内に均等に配置した後、複数の下部補強材が中空部内に均等に配置されているか否かを確認する補強材配置状況確認ステップを有することを要旨とする。
【００１６】
請求項１０記載の本発明のコンクリート製電柱の補強方法は、前記複数の下部補強材の間の隙間を隙間充填材を充填する第４のステップは、少なくとも複数の下部補強材の上端部が隠れる程度まで隙間充填材を充填することを要旨とする。
【００１７】
請求項１１記載の本発明のコンクリート製電柱の補強方法は、前記隙間充填材が、無収縮モルタルであることを要旨とする。
【００１８】
請求項１２記載の本発明のコンクリート製電柱は、請求項１乃至１１のいずれか１項に記載のコンクリート製電柱の補強方法で補強されたものであることを要旨とする。
【発明の効果】
【００１９】
本発明によれば、コンクリート製電柱の頂頭部の蓋を取り外し、複数の棒状の下部補強材をコンクリート製電柱の開口部から中空部内に下端部が底に到達するまで垂れ下ろすように挿入し、この挿入された複数の下部補強材を中空部内に均等に配置し、中空部内に隙間充填材を投入して複数の下部補強材の間の隙間を充填し、上部補強材を開口部から中空部内に下端部が下部補強材の上端部付近に到達するまで中空部内に吊り下ろすように挿入し、上部補強材が挿入された中空部内に隙間充填材を投入し、コンクリート製電柱の頂頭部の開口部が塞がるまで中空部内を隙間充填材で充填するので、コンクリート製電柱の最下端部の底から頂頭部までの全体を補強材と例えば無収縮モルタルなどの隙間充填材で完全に補強することができる。
【００２０】
本発明によれば、複数の下部補強材は均等配置手段を有する配置調整用棒状部材を用いてコンクリート製電柱の中空部内に均等に配置されるので、複数の下部補強材による補強は偏りなく均一かつ完全に行われる。
【００２１】
本発明によれば、複数の下部補強材または配置調整用棒状部材の開口部から中空部内への挿入は振れ止め手段を用いて行われるので、例えば６ｍなどのようにかなり長い下部補強材や配置調整用棒状部材であつても振れることなく、安全に下部補強材や配置調整用棒状部材を中空部内に効率的に挿入することができる。
【００２２】
本発明によれば、コンクリート製電柱の頂頭部の蓋は、落下防止ネットを使用して取り外されるので、例えばバールや金槌を用いてコンクリートを剥がしながら蓋を取り外して、仮にコンクリートの破片などが落下しても、落下防止ネットに引っ掛かってコンクリート製電柱の周囲の地面まで落下することがなく、安全に作業を行うことができる。
【００２３】
本発明によれば、蓋を取り外してコンクリート製電柱の開口部が露呈した後、コンクリート製電柱の中空部内の状態を中空部内確認ステップで確認するので、下部補強材５などの中空部内への挿入を円滑かつ効率的に行うことができる。
【００２４】
本発明によれば、複数の下部補強材を中空部内に均等に配置した後、複数の下部補強材が中空部内に均等に配置されているか否かを補強材配置状況確認ステップで確認するので、複数の下部補強材が均等に配置されたことを確認してから無収縮モルタルなどの隙間充填材を投入でき、複数の下部補強材による補強を偏りなく均一かつ完全に行うことができる。
【発明を実施するための最良の形態】
【００２５】
以下、図面を用いて、本発明を実施するための最良の形態（以下、実施形態と称する）を説明する。
【００２６】
図１（ａ）、（ｂ）は、それぞれ本発明の一実施形態に係わるコンクリート製電柱の補強方法により補強されたコンクリート製電柱１０の内部構造を示す縦断面図および横断面図である。同図に示すように、下端部が地中１５に埋設されて立設している補強コンクリート製電柱１０は、図２１で説明したように内部が空洞の補強前コンクリート製電柱１の中空部３内に複数の下部補強材５および上部補強材１３を挿入し、これらの補強材の隙間を隙間充填材である無収縮モルタル６７で充填して補強している。なお、本実施形態のコンクリート製電柱の補強方法で補強されるコンクリート製電柱は、例えば全体の長さが８ｍ〜９ｍ程度の単独柱であり、この全長のうちの約１．４ｍ〜１．５ｍの下端部が地中に埋設され、６．６ｍ〜７．５ｍが地上に出ているものである。
【００２７】
更に詳しくは、補強前コンクリート製電柱１の中空部３の下方に複数本、本実施形態では４本の下部補強材５が挿入され、これらの下部補強材５の中心に配置調整用棒状部材７が配置され、この配置調整用棒状部材７の途中に取り付けられている複数個、本実施形態では３個の均等配置手段９により４本の下部補強材５が図１（ｂ）に示すように配置調整用棒状部材７を中心として中空部３内で均等に配置され、これらの均等に配置された４本の下部補強材５と配置調整用棒状部材７の隙間には無収縮モルタル６７が充填されている。
【００２８】
複数の下部補強材５のそれぞれの下端部には重棒５ａが取り付けられ、これらの重棒５ａは、補強コンクリート製電柱１０内の底、すなわち中空部３の底に突き当たっている。また、これらの下部補強材５の上端部には紐１１が取り付けられているが、これらの紐１１は中空部３内に残され、無収縮モルタル６７内に埋設されている。
【００２９】
配置調整用棒状部材７は、長さが補強コンクリート製電柱１０の長さよりも短く、補強コンクリート製電柱１０の長さの約半分程度であり、上端部が補強コンクリート製電柱１０の途中に位置しているが、この配置調整用棒状部材７の上端部の真上には上部補強材１３が配置されている。この上部補強材１３は、下端部に重棒１３ａが取り付けられ、この重棒１３ａの真下に配置調整用棒状部材７の上端部が位置している。なお、上部補強材１３の上端部は、補強コンクリート製電柱１０の頂頭部１ｃまで延出し、この頂頭部１ｃに末口蓋１ｄがボルトなどにより固定的に取り付けられている。
【００３０】
前記下部補強材５は、図２（ａ）に示すように、アラミド繊維で形成される棒状のアラミドロッド５ｂと、このアラミドロッド５ｂの下端部に取り付けられた例えば異型鉄筋などからなる前記重棒５ａとを有し、上端部には綿紐やステンレス製のワイヤなどからなる紐１１が取り付けられている。なお、アラミドロッド５ｂの長さは、例えば５．５ｍ〜６．５ｍであり、紐１１の長さは、例えば５ｍであり、重棒５ａの長さは、例えば３０ｃｍである。重棒５ａは、アラミドロッド５ｂの下端部に沿うように設けられ、アラミドロッド５ｂの下端部と重棒５ａとを例えば留め具およびボルト締めなどを用いて固定されている。
【００３１】
前記上部補強材１３は、図２（ｂ）に示すように、アラミド繊維で形成される棒状のアラミドロッド１３ｂと、このアラミドロッド１３ｂの下端部に取り付けられた例えば異型鉄筋などからなる前記重棒１３ａとを有する。アラミドロッド１３ｂの長さは、例えば３ｍであり、重棒１３ａの長さは、例えば３０ｃｍである。重棒１３ａは、アラミドロッド１３ｂの下端部にまっすぐ取り付けられている。
【００３２】
前記配置調整用棒状部材７は、図３（ａ）に分解して図示するように、下端部に石突き７１ａが取り付けられ、下端部寄りと上端部寄りの２ヶ所に前記均等配置手段９が取り付けられた下部配置調整用棒状部材７１と、この下部配置調整用棒状部材７１の下端部に上端部が連結され、ほぼ中央に前記均等配置手段９が取り付けられた上部配置調整用棒状部材７３とから構成されている。なお、下部配置調整用棒状部材７１の長さは、例えば２．４ｍであり、上部配置調整用棒状部材７３の長さは、例えば２．７ｍである。
【００３３】
下部配置調整用棒状部材７１の上端部７１ａには図３（ａ）に拡大して示すように雄ねじ７１ｃが形成され、上部配置調整用棒状部材７３の下端部７３ａには図３（ａ）に拡大して示すように雌ねじ７３ｂが形成され、下部配置調整用棒状部材７１の雄ねじ７１ｃを上部配置調整用棒状部材７３の雌ねじ７３ｂに螺合させることにより下部配置調整用棒状部材７１に上部配置調整用棒状部材７３が連結され、これにより配置調整用棒状部材７が構成されるようになっている。上部配置調整用棒状部材７３の上端部７３ｃにはピン７３ｄが取り付けられている。
【００３４】
前記均等配置手段９は、詳しくは図１７２示すように、複数本、本実施形態では４本の下部補強材５が貫通する複数、本実施形態では４個の貫通部１３８を有し、この４個の貫通部１３８で４本の下部補強材５を支持して均等に配置するようになっている。
【００３５】
均等配置手段９は、更に詳しくは図１８に示すように、前記貫通部１３８が取り付けられている上腕部１３３と下腕部１３４からなる４個の腕部７７を有し、貫通部１３８は上腕部１３３および下腕部１３４の中程に形成された孔部１３６に挿入可能な連結部１３９を有し、この連結部１３９を上腕部１３３または下腕部１３４のいずれかの孔部１３６に挿入することにより取り付けられている。なお、上腕部１３３と下腕部１３４を互いに可動自在に連結している肘部には、均等配置手段９を補強前コンクリート製電柱１の中空部３に挿入した時に、中空部３の内壁面に当ることにより均等配置手段９の水平方向への展開を容易にする平座金（プレーンワッシャ）１３５が可動自在に取り付けられている。
【００３６】
更に詳しくは、貫通部１３８は、連結部１３９により腕部７７に取り付けられる場合、隣接する腕部７７同士において貫通部１３８が上腕部１３３および下腕部１３４の同じ側にならず、交互になるように変更して取り付けられている。換言すると、ある腕部７７において貫通部１３８が上腕部１３３に取り付けられる場合には、その腕部７７に両隣で隣接する腕部７７では貫通部１３８は下腕部１３４に取り付けられるようになっている。
【００３７】
また、複数の下腕部１３４の各下端部は、固定連結部１３２により下部配置調整用棒状部材７１（上部配置調整用棒状部材７３）に固定的に取り付けられ、また各上腕部１３３は、可動連結部１３１により下部配置調整用棒状部材７１（上部配置調整用棒状部材７３）に対して可動可能に取り付けられ、この可動連結部１３１を固定連結部１３２に対して上方に移動させた場合には、均等配置手段９は、図１９に示すように、上腕部１３３および下腕部１３４からなる腕部７７が閉じて全体的に細くなり、これにより補強前コンクリート製電柱１の頂頭部１ｃの開口部１ｅから補強前コンクリート製電柱１の中空部３内に容易に挿入し得るようになっている。
【００３８】
なお、図１８に示すように、各下腕部１３４の下端部が取り付けられている固定連結部１３２の位置よりも少し上方の位置には、ストッパ１３７が下部配置調整用棒状部材７１（上部配置調整用棒状部材７３）に固定的に取り付けられ、これにより各上腕部１３３の上端部を軸棒７２に対して摺動可能に取り付けている可動連結部１３１は、このストッパ１３７よりも下方に移動しないようになっている。
【００３９】
また、各貫通部１３８は、同じ径を有する２個の半円環型部材１３８ａおよび１３８ｂの端部同士を互いに可動自在に取り付けられている。そして、一方の半円環型部材１３８ａの中程に前記連結部１３９が取り付けられ、この連結部１３９により腕部７７の孔部１３６に取り付けられている。
【００４０】
図３（ｂ）は、図３（ａ）に示した配置調整用棒状部材７を補強前コンクリート製電柱１の中空部３内に挿入する場合に使用される延長用棒状部材２５を分解して示す図である。
【００４１】
図３（ｂ）に示すように、延長用棒状部材２５は、下端部２７ａが前記上部配置調整用棒状部材７３の上端部７３ｃに連結される下部延長用棒状部材２７と、この下部延長用棒状部材２７の上端部２７ｃに下端部２９ａが連結される上部延長用棒状部材２９とから構成されている。なお、下部延長用棒状部材２７および上部延長用棒状部材２９の長さは、例えば２．５ｍである。
【００４２】
下部延長用棒状部材２７の下端部２７ａには、上部配置調整用棒状部材７３の上端部７３ｃのピン７３ｄが遠隔的に取り外し可能に嵌合するロック式スリット２７ｂが形成されている。従って、上部配置調整用棒状部材７３の上端部７３ｃのピン７３ｄに対して下部延長用棒状部材２７のロック式スリット２７ｂを嵌合させると、下部延長用棒状部材２７は上部配置調整用棒状部材７３に連結され、簡単には外れないが、ロック式スリット２７ｂの構造から分かるように、下部延長用棒状部材２７を長手方向に若干動かしてロック式スリット２７ｂの横穴にピン７３ｄを通すように回転させると、下部延長用棒状部材２７は上部配置調整用棒状部材７３との連結から遠隔的に解除され、下部延長用棒状部材２７を取り外すことができる。
【００４３】
また、下部延長用棒状部材２７の上端部２７ｃには雌ねじ２７ｄが形成され、上部延長用棒状部材２９の下端部２９ａには雌ねじ２９ｂが形成され、下部延長用棒状部材２７の雌ねじ２７ｄを上部延長用棒状部材２９の雌ねじ２９ｂに螺合させることにより、下部延長用棒状部材２７は上部延長用棒状部材２９に連結され、これにより延長用棒状部材２５が構成されるようになっている。
【００４４】
次に、図４に示すフローチャートおよび図５以降を参照して、本実施形態のコンクリート製電柱の補強方法について説明する。
【００４５】
まず、上述した下部補強材５、配置調整用棒状部材７、上部補強材１３などの各種部材を揃えるなどの準備を行った後（ステップＳ１１）、まず図５に示すように、補強前コンクリート製電柱１の頂頭部１ｃに振れ止め手段である振れ止めガイド２１を取り付ける（ステップＳ１３）。
【００４６】
この振れ止めガイド２１は、下部補強材５、配置調整用棒状部材７、延長用棒状部材２５、上部補強材１３などの長尺部材を補強前コンクリート製電柱１の開口部１ｅから中空部３内に挿入する場合に長尺部材の上端が振れないようにするためのものであるとともに、後述する落下防止ネット３１を取り付けるために使用されるものである。
【００４７】
振れ止めガイド２１は、詳しくは図５（ａ）に示すように、上端部に環状部２１ａを有し、この環状部２１ａから間隔をあけてほぼ並行に切り欠き部２１ｃを有するＣ字形の円弧部２１ｂが２個配設され、環状部２１ａと２個の円弧部２１ｂは、４本の連結棒２１ｄで固定的に連結されている。なお、図５（ａ）、（ｂ）では、補強前コンクリート製電柱１の頂頭部１ｃに末口蓋１ｄが図示されていないが、同図に示すように振れ止めガイド２１を取り付ける階段においては、補強前コンクリート製電柱１には末口蓋１ｄが取りつけられているものである。
【００４８】
このように構成される振れ止めガイド２１は、その下端部が図５（ｂ）に示すように補強前コンクリート製電柱１の頂頭部１ｃに例えば金属製またはナイロン製のテープ２３で固定的に取り付けられる。
【００４９】
なお、図６（ａ）、（ｂ）は、図５に示すように補強前コンクリート製電柱１の頂頭部１ｃに取り付けられた振れ止めガイド２１を利用して、下部補強材５や下部配置調整用棒状部材７１を補強前コンクリート製電柱１の開口部１ｅから中空部３内に挿入する方法を説明するための図である。なお、図６（ａ）、（ｂ）では、補強前コンクリート製電柱１の末口蓋１ｄは、既に取り外され、補強前コンクリート製電柱１の開口部１ｅが頂頭部１ｃに露出している状態において下部補強材５や下部配置調整用棒状部材７１を開口部１ｅから挿入する場合について図示している。
【００５０】
まず、図６（ａ）に示すように、振れ止めガイド２１を利用して、長尺部材である下部補強材５を補強前コンクリート製電柱１の開口部１ｅから挿入する場合には、下部補強材５の上端部、すなわち紐１１が取り付けられている上端部を振れ止めガイド２１の切り欠き部２１ｃに挿入する。それから、この下部補強材５の上端部を切り欠き部２１ｃから上方に向けて押し上げ、この上端部を図６（ａ）に示すように環状部２１ａを上方に貫通させ、下部補強材５の上端部を環状部２１ａに図示のように寄りかからせて振れを防止する。
【００５１】
このように下部補強材５の上端部を環状部２１ａ内に挿入して寄りかからせて振れを防止している状態で下部補強材５を更に上方に押し上げ、下部補強材５の下端部が頂頭部１ｃを超えたら、この下端部を開口部１ｅから中空部３内に挿入するように下部補強材５を下方に押し下げる。そして、この押し下げ動作を更に継続することにより、下部補強材５はその上端部を環状部２１ａに寄りかからせることで振れを防止しながら下部補強材５を開口部１ｅから中空部３内に挿入することができる。
【００５２】
図６（ｂ）は、図６（ａ）に示した下部補強材５の代わりに下部配置調整用棒状部材７１を補強前コンクリート製電柱１の開口部１ｅから挿入する場合を図示しているものであるが、その挿入方法は図６（ａ）において下部補強材５を下部配置調整用棒状部材７１に置きかえるのみで基本的な動作は図６（ａ）の場合と同じである。
【００５３】
なお、図６（ｂ）に示すように、下部配置調整用棒状部材７１を補強前コンクリート製電柱１の開口部１ｅから挿入する場合には、下部配置調整用棒状部材７１に取り付けられている均等配置手段９を必要に応じて図１９に示したように腕部７７を閉じて全体的に細くすることが望ましい。
【００５４】
上述したように、振れ止めガイド２１を補強前コンクリート製電柱１の頂頭部１ｃに取り付けた後、次に図７（ａ）に示すように、この振れ止めガイド２１を利用して、補強前コンクリート製電柱１の頂頭部１ｃに落下防止ネット３１を取付け、これにより補強前コンクリート製電柱１の末口蓋１ｄを取り外す場合に、破損したコンクリートの破片などが下方に落下しないように防止する。
【００５５】
落下防止ネット３１は、図７（ｂ）に示すように、長方形のネット部３１ａ、このネット部３１ａの上辺に取り付けられている湾曲可能な例えば金属からなる横棒３１ｂ、この横棒３１ｂから下方に垂直にネット部３１ａの半分程度まで延出している５本の縦棒３１ｄ、この縦棒３１ｄと横棒３１ｂとの交点に取り付けられている紐３１ｃ、および５本の縦棒３１ｄのうちの左端に位置する縦棒３１ｄに取り付けられている紐３１ｅから構成されている。
【００５６】
そして、このように構成される落下防止ネット３１を図７（ａ）に示すように振れ止めガイド２１の取り付けられた補強前コンクリート製電柱１の頂頭部１ｃに取り付けるには、まず横棒３１ｂを丸く曲げながら、ネット部３１ａで振れ止めガイド２１の下方部および補強前コンクリート製電柱１の頂頭部１ｃを囲むように円筒形を形成し、この円筒形の状態で左端の縦棒３１ｄに取り付けられている紐３１ｅを他の縦棒３１ｄに結びつけて円筒形を完成する。
【００５７】
それから、この円筒形の上端部の横棒３１ｂに取り付けられた紐３１ｃを振れ止めガイド２１の円弧部２１ｂに適当な間隔で結びつけて円筒形を固定する。そして、この円筒形の下端部に位置するネット部３１ａを補強前コンクリート製電柱１の周囲に絞るように巻き付けて、円筒形を円錐形にし、この補強前コンクリート製電柱１の周囲に巻き付けたネット部３１ａの下端部を紐３２で縛り付けて固定すると、図７（ａ）に示すように補強前コンクリート製電柱１の頂頭部１ｃの周囲に落下防止ネット３１が取り付けられる。
【００５８】
上述したように、振れ止めガイド２１および落下防止ネット３１を補強前コンクリート製電柱１の頂頭部１ｃに取り付けた後、補強前コンクリート製電柱１の頂頭部１ｃの末口蓋１ｄを図８に示すようにバール１０１および金槌１０３などを用いて取り外す（ステップＳ１５）。
【００５９】
なお、末口蓋１ｄは、補強前コンクリート製電柱１の頂頭部１ｃにボルト１１９などを用い、その上をコンクリートで覆うように固定されているものであるため、このボルト部分はバール１０１または図示しないたがね等を使用してはつるようにして末口蓋１ｄを取り外すことになる。このように末口蓋１ｄを取り外した後は、落下防止ネット３１は不要となるので、ここで落下防止ネット３１を補強前コンクリート製電柱１の頂頭部１ｃから取り外す。
【００６０】
補強前コンクリート製電柱１の末口蓋１ｄを取り外して補強前コンクリート製電柱１の開口部１ｅが露呈すると、次にこの開口部１ｅから補強前コンクリート製電柱１の中空部３内の状態を確認する（ステップＳ１７）。
【００６１】
なお、この補強前コンクリート製電柱１の中空部３内の確認動作は、図９に示すようなテスト用配置調整冶具３３を用いて、中空部３内に下部補強材５や配置調整用棒状部材７などが円滑に挿入し得るか否かを確認する円滑挿入確認動作と、図１１に示すようにカメラ４７とモニタ５３を用いて中空部３内を撮影して映像で確認する映像確認動作とがある。
【００６２】
まず、図９および図１０を参照して、テスト用配置調整冶具３３を用いた円滑挿入確認動作について説明する。
【００６３】
テスト用配置調整冶具３３は、図９に示すように、配置調整用棒状部材７を短くするとともに、均等配置手段９を１個のみ取り付けたものに相当するが、長さが８０ｃｍ程度のテスト用配置調整用棒状部材３３ａと、このテスト用配置調整用棒状部材３３ａの下方寄りの部分、詳しくはテスト用配置調整用棒状部材３３ａの下端部から３０ｃｍ程度の位置に取り付けられた均等配置手段９と、テスト用配置調整用棒状部材３３ａの下端部に取り付けられた石突き３３ｂと、テスト用配置調整用棒状部材３３ａの上端部に取り付けられた長さが１ｍ程度の紐３３ｃとから構成されている。
【００６４】
このように構成されるテスト用配置調整冶具３３を用いて補強前コンクリート製電柱１の中空部３内の状態を確認するには、まず図１０（ａ）に示すように、テスト用配置調整冶具３３の下端部を振れ止めガイド２１の切り欠き部２１ｃから補強前コンクリート製電柱１の開口部１ｅ内に挿入する。
【００６５】
それから、図１０（ｂ）に示すように、テスト用配置調整用棒状部材３３ａに取り付けられている均等配置手段９を図１９に示したように閉じて細くしながらテスト用配置調整冶具３３を垂直に立てるようにして、その紐３１ｃの付いた上端部を振れ止めガイド２１の切り欠き部２１ｃ内に入れるとともに、下端部を開口部１ｅから中空部３内に挿入する。中空部３内に挿入した後は、均等配置手段９を細く閉じた状態から大きく開いた状態にする。
【００６６】
次に、図１０（ｃ）に示すように、テスト用配置調整冶具３３の紐３３ｃを保持してテスト用配置調整冶具３３を中空部３内に吊り下げながら均等配置手段９を大きく開いた状態でテスト用配置調整冶具３３を中空部３内の下方に例えば１．５ｍ程度降ろし、これによりテスト用配置調整冶具３３を中空部３内に適確に降ろすことができるか否かを確認する。
【００６７】
このように確認した後は、図１０（ｄ）に示すように、テスト用配置調整冶具３３を引き上げ、振れ止めガイド２１の切り欠き部２１ｃから取り出す。なお、この取り出し操作で均等配置手段９が引っ掛かった場合には、均等配置手段９の腕部７７の一部をフックなどで引っ掛けて均等配置手段９を図１９に示したように細く閉じて引き上げる。
【００６８】
次に、カメラ４７およびモニタ５３を用いて中空部３内を撮影して映像で確認する映像確認動作について図１１を参照して説明する。
【００６９】
図１１（ａ）に示すように、補強前コンクリート製電柱１の開口部１ｅに例えば棒状または板状の支持部材３５を取り付け、この支持部材３５の先端を補強前コンクリート製電柱１の開口部１ｅの断面のほぼ中央まで延出し、この中央に延出した支持部材３５の先端に滑車などのような外周面に溝の形成された回転部材４１を取り付ける。この回転部材４１の溝にワイヤ３９をかけ、このワイヤ３９の下端部に図１１（ｂ）に拡大して図示するようなスナップ付サルカン４３を介して重り４５を取り付ける。
【００７０】
一方、ワイヤ３９の上端部は、支持部材３５の端部に取り付けられた例えば釣りのリールのような巻取器３７に巻回し、この巻取器３７をハンドル３７ａで回転することによりワイヤ３９を巻き取ったり、巻き戻すことによりワイヤ３９の下端部の重り４５を補強前コンクリート製電柱１の中空部３内に垂れ下ろしたり、引き上げることができるように構成している。
【００７１】
このように巻取器３７で巻き取ったり巻き戻すことができるワイヤ３９の下端部寄りの部分に対して、図１１（ａ）に示すように円筒状のカメラ４７を例えばビニールテープなどの取付部材４９で縛るように取り付けて固定するとともに、またカメラ４７から上方に延出しているカメラコード５１も同様に例えばビニールテープなどの取付部材５３でワイヤ３９に縛るように固定的に取り付けられている。
【００７２】
そして、このようにワイヤ３９の下端部寄りに縛り付けられたカメラ４７のカメラコード５１は、ワイヤ３９に沿って中空部３内を上方にのばされ、開口部１ｅから外部に出て、モニタ５３に接続され、これによりカメラ４７で撮影した中空部３内の映像をモニタ５３で観察し、中空部３内が正常であるかを確認することができる。
【００７３】
詳しくは、ワイヤ３９の下端部の重り４５を補強前コンクリート製電柱１の開口部１ｅから中空部３内に挿入するとともに、ワイヤ３９の下端部寄りに取り付けられたカメラ４７も開口部１ｅから中空部３内に挿入してから、巻取器３７のハンドル３７ａを操作して、重り４５の重量によって引っ張られるようにワイヤ３９を中空部３内の下方に向けて徐々に降ろすと、このワイヤ３９に縛り付けられているカメラ４７も中空部３内を徐々に下方に降りることができるので、この降りる途中でカメラ４７により中空部３内の状態を逐次撮像し、この逐次撮像した映像をモニタ５３で観察して中空部３内が正常であるか否かを確認する。
【００７４】
このようにしてカメラ４７が中空部３内の最下端部の底に到達した場合には、この底の状態をカメラ４７で撮像し、この撮像した画像をモニタ５３で確認する。補強前コンクリート製電柱１の中空部３内の底には、例えばヘドロなどを含む土砂１０５が少し盛り上がって存在し、この土砂１０５の上に留水１１１が存在している。また、補強前コンクリート製電柱１の最下端部近傍の外周部はコンクリートが内側に膨出してノロ１０７が形成され、その一部には補強前コンクリート製電柱１の外周部をコンクリートとともに構成している針金１０９が露出していることがあるので、これらの状態をカメラ４７で撮像してモニタ５３で確認する。
【００７５】
そして、補強前コンクリート製電柱１の底部に溜水１１１や土砂１０５などがある場合には、例えば排気ポンプやバキュームなどを用いて外部に排出する。
【００７６】
更に、補強前コンクリート製電柱１の中空部３内には、地中１５に埋設された部分で下端が接地され、上端が上方に延出しているアース線１１３が中空部３の側壁に沿って設けられているので、このようなアース線は下部補強材５の配置に支障がないように処理する。なお、上述したように、カメラ４７およびモニタ５３を用いて中空部３内を撮影して映像で確認する映像確認動作を説明するための図１１において、補強前コンクリート製電柱１の頂頭部１ｃには図の簡単化のため振れ止めガイド２１が取り付けていないが、実際にはこの段階では振れ止めガイド２１は図１０などに示すように取りつけられているものである。
【００７７】
以上のようにして、中空部３内に下部補強材５や配置調整用棒状部材７などが円滑に挿入し得るか否かを確認するテスト用配置調整冶具３３を用いた円滑挿入確認動作およびカメラ４７とモニタ５３を用いて中空部３内を撮影して映像で確認する映像確認動作が終了すると、次に複数の下部補強材５を補強前コンクリート製電柱１の中空部３内に配置する処理を行う（ステップＳ１９）。
【００７８】
この複数の下部補強材５の中空部３への配置について図１２〜図１４を参照して詳細に説明する。
【００７９】
下部補強材５は、その上端部を振れ止めガイド２１の切り欠き部２１ｃから環状部２１ａ内へと下方から上方に向けて押し上げるように挿入し、下部補強材５の紐１１のついた上端部寄りを図１２（ａ）に示すように環状部２１ａに寄りかからせて振れを防止しながら下部補強材５を更に上方に押し上げ、下部補強材５の下端部が補強前コンクリート製電柱１の頂頭部１ｃを超えたら、この下端部を補強前コンクリート製電柱１の開口部１ｅから中空部３内に挿入するように下部補強材５を下方に押し下げる。
【００８０】
このようにして下部補強材５の下端部が開口部１ｅから中空部３内に挿入されると、下部補強材５のアラミドロッド５ｂも手などで保持しながら下部補強材５を更に中空部３内の下方に押し下げる。そして、アラミドロッド５ｂの上端部が開口部１ｅ付近まで来て、アラミドロッド５ｂを手などで保持できなくなったら、下部補強材５の上端部に取りつけられている紐１１を保持して下部補強材５を吊り下げるようにしながら下部補強材５を重棒５ａの重量によって更に中空部３内の下方に降ろし、下部補強材５の下端部の重棒５ａが中空部３内の底に到達するまで下方に降ろす。
【００８１】
下部補強材５の下端部の重棒５ａが図１２（ａ）に示すように補強前コンクリート製電柱１の底である中空部３内の底に到達して、１本の下部補強材５の中空部３内への配置が終了すると、次の下部補強材５を中空部３内に同様に配置するという動作を複数本、本実施形態では４本の下部補強材５のすべてに対して同様に繰り返し行い、４本の下部補強材５を全て補強前コンクリート製電柱１の中空部３内の底に配置する。このようにすべての下部補強材５を中空部３内に配置し終えたら、各下部補強材５の上端部に取りつけられている紐１１を図１２（ｂ）に示すように開口部１ｅの上縁にかけて開口部１ｅの外側に垂れ下ろす。
【００８２】
すべての下部補強材５が中空部３内に配置されたら、次に配置調整用棒状部材７を構成する下部配置調整用棒状部材７１を図１２（ｂ）に示すように補強前コンクリート製電柱１の開口部１ｅから中空部３内のほぼ中央に配置する。
【００８３】
この下部配置調整用棒状部材７１の開口部１ｅから中空部３内のほぼ中央への配置は、振れ止めガイド２１を利用して下部補強材５とほぼ同様に行う。すなわち、下部配置調整用棒状部材７１は、その下端部を振れ止めガイド２１の切り欠き部２１ｃから環状部２１ａ内へと下方から上方に向けて押し上げるように挿入し、下部配置調整用棒状部材７１の上端部寄りを環状部２１ａに少し寄りかからせるようにしながら下部配置調整用棒状部材７１を更に上方に押し下げ、下部配置調整用棒状部材７１の下端部が補強前コンクリート製電柱１の頂頭部１ｃを超えたら、この下端部をほんの少し開口部１ｅから中空部３内に挿入するように下部配置調整用棒状部材７１を下方に押し下げると、図１２（ｂ）に示す状態に下部配置調整用棒状部材７１が設定される。
【００８４】
下部配置調整用棒状部材７１を図１２（ｂ）に示す状態に保持したまま、下部配置調整用棒状部材７１の下方に取りつけられている均等配置手段９の複数個、本実施形態では４個の貫通部１３８に４本の下部補強材５の上端部に取りつけられている紐１１を順次挿入する。すべての紐１１がそれぞれの貫通部１３８に挿入されたら、図１３（ａ）に示すように、下部配置調整用棒状部材７１を中空部３内の下方に押し下げ、下部配置調整用棒状部材７１の上方に取りつけられている均等配置手段９が開口部１ｅ付近に来たら、この位置において均等配置手段９の４個の貫通部１３８に４本の下部補強材５の上端部に取りつけられている紐１１を順次挿入する。なお、この紐１１の挿入では、下部配置調整用棒状部材７１の下方に取り付けられている均等配置手段９の４個の貫通部１３８に挿入されぬ紐１１が下部配置調整用棒状部材７１の上方に取り付けられている均等配置手段９の上下方向で対応する４個の貫通部１３８に挿入するようにし、４本の紐１１が交差しないように挿入する。下部配置調整用棒状部材７１の上方に取り付けられている均等配置手段９の４個の貫通部１３８に４本のすべての紐１１が交差しないように挿入されたら、下部配置調整用棒状部材７１を更に下方に押し下げ、下部配置調整用棒状部材７１の上端部が補強前コンクリート製電柱１の開口部１ｅ付近に来たら、上部配置調整用棒状部材７３を用意し、上部配置調整用棒状部材７３の下端部の雌ねじ７３ｂに下部配置調整用棒状部材７１の上端部の雄ねじ７１ｃを螺合させ、これにより下部配置調整用棒状部材７１に上部配置調整用棒状部材７３を図１３（ｂ）に示すように連結する。
【００８５】
このように下部配置調整用棒状部材７１に上部配置調整用棒状部材７３が連結されると、上部配置調整用棒状部材７３を手などで保持しながら、このように連結された下部配置調整用棒状部材７１と上部配置調整用棒状部材７３からなる配置調整用棒状部材７を中空部３内の下方に更に押し下げる。
【００８６】
この押し下げ動作において、上部配置調整用棒状部材７３のほぼ真中よりも少し上方に取り付けられている均等配置手段９が補強前コンクリート製電柱１の開口部１ｅ付近まで来たら、この位置において当該均等配置手段９の４個の貫通部１３８に４本の下部補強材５の上端部に取りつけられている紐１１を順次挿入する。なお、この紐１１の挿入では、下部配置調整用棒状部材７１の取り付けられている２個の均等配置手段９のそれぞれの４個の貫通部１３８に挿入されぬ紐１１が上部配置調整用棒状部材７３に取り付けられている均等配置手段９の上下方向で対応する４個の貫通部１３８に挿入するようにし、４本の紐１１が交差しないように挿入する。上部配置調整用棒状部材７３に取り付けられている均等配置手段９の４個の貫通部１３８に４本のすべての紐１１が交差しないように挿入されたら、上部配置調整用棒状部材７３を更に下方に押し下げ、上部配置調整用棒状部材７３の上端部が補強前コンクリート製電柱１の開口部１ｅ付近まで来たら、延長用棒状部材２５を構成する下部延長用棒状部材２７を用意し、この下部延長用棒状部材２７の下端部のロック式スリット２７ｂに上部配置調整用棒状部材７３の上端部のピン７３ｄを係合させ、これにより配置調整用棒状部材７に下部延長用棒状部材２７を連結する。
【００８７】
このように配置調整用棒状部材７に下部延長用棒状部材２７が連結されると、下部延長用棒状部材２７を手などで保持しながら、このように連結された配置調整用棒状部材７と下部延長用棒状部材２７を中空部３内の下方に差に押し下げる。
【００８８】
この押し下げ動作において、下部延長用棒状部材２７の上端部が補強前コンクリート製電柱１の開口部１ｅ付近まで来たら、上部延長用棒状部材２９を用意し、この上部延長用棒状部材２９の下端部の雌ねじ２９ｂに下部延長用棒状部材２７の上端部の雄ねじ２７ｄを螺合し、下部延長用棒状部材２７の上部延長用棒状部材２９を連結する。
【００８９】
このように下部延長用棒状部材２７に上部延長用棒状部材２９が連結されると、更に詳しくは、配置調整用棒状部材７に連結されている下部延長用棒状部材２７に対して上部延長用棒状部材２９が連結されると、上部延長用棒状部材２９を手などで保持しながら、このように連結された配置調整用棒状部材７と下部延長用棒状部材２７および上部延長用棒状部材２９からなる延長用棒状部材２５を中空部３内の下方に更に押し下げる。
【００９０】
この押し下げ動作において、図１４（ａ）に示すように、延長用棒状部材２５に連結された配置調整用棒状部材７の下端部の石突き７１ａが補強前コンクリート製電柱１の底である中空部３内の底に到達したら、そこで押し下げ動作を停止する。
【００９１】
以上のように、４本の下部補強材５の紐１１を均等配置手段９の４個の貫通部１３８に挿入してから、均等配置手段９を配置調整用棒状部材７とともに中空部３内の下方に押し下げることにより、４本の下部補強材５は均等配置手段９の４個の貫通部１３８により中空部３に均等に配置されることになる。
【００９２】
配置調整用棒状部材７の下端部の石突き７１ａが中空部３内の底に到達したら、ここで延長用棒状部材２５を配置調整用棒状部材７との連結から解除し、延長用棒状部材２５を構成する上部延長用棒状部材２９および下部延長用棒状部材２７を取り外す。更に詳しくは、配置調整用棒状部材７と延長用棒状部材２５との連結は、上部配置調整用棒状部材７３のピン７３ｄに対して下部延長用棒状部材２７のロック式スリット２７ｂを係合させて行われているので、延長用棒状部材２５を介して下部延長用棒状部材２７のロック式スリット２７ｂを少し上方に移動してから回転することによりピン７３ｄとロック式スリット２７ｂによる係合は容易に外れ、配置調整用棒状部材７と延長用棒状部材２５との連結は解除されるので、この解除された状態で延長用棒状部材２５を構成する下部延長用棒状部材２７および上部延長用棒状部材２９のみを上方に引き上げることにより図１４（ｂ）に示すように延長用棒状部材２５を中空部３内から取り出すことができる。
【００９３】
このように延長用棒状部材２５を中空部３から取り出した後、図１４（ｂ）に示すように、４本の下部補強材５が中空部３内に均等に配置されるとともに、４本の下部補強材５のほぼ中央に配置調整用棒状部材７が設けられたら、ここで補強前コンクリート製電柱１の頂頭部１ｃに取り付けられている振れ止めがガイド２１を図１５（ａ）に示すように取り外す。そして、振れ止めガイド２１を取り外した後、ここで４本の下部補強材５が均等かつ適正に配置されているか否かを確認するための適正配置状況確認動作を上述したカメラ４７とモニタ５３を利用して行う（ステップＳ２１）。なお、振れ止めガイド２１を取り外した後、各下部補強材５の上端部に取り付けられている紐１１は、補強前コンクリート製電柱１の頂頭部１ｃの外周部に例えばビニールテープなどで固定する。
【００９４】
このカメラ４７とモニタ５３を利用した適正配置状況確認動作について図２０を用いて説明する。図２０に示す複数の下部補強材５の適正配置確認動作は、図１１で説明したと同じカメラ４７、モニタ５３、ワイヤ３９、スナップ付サルカン４３、重り４５、巻取器３７などを用いて行うことは同じであるが、複数の下部補強材５、配置調整用棒状部材７および複数の均等配置手段９を中空部３内に挿入したために図１１で説明したカメラ４７、モニタ５３、重り４５、ワイヤ３９などを中空部３内の真中に挿入して垂れ下ろすことが困難となったため、これらを図２０に示すように中空部３内の縁部寄りの部分に開口部１ｅから垂れ下ろして行うようにしたものであり、その他の構成および作用は図１１と同じであり、同じ構成要素には同じ符号を付している。
【００９５】
操作においては、図１１の場合と同様に、ワイヤ３９の下端部の重り４５を補強前コンクリート製電柱１の開口部１ｅから中空部３の縁部に沿わせて挿入するとともに、ワイヤ３９の下端部寄りに取り付けられたカメラ４７も開口部１ｅから中空部３の縁部に沿わせて挿入してから、巻取器３７のハンドル３７ａを操作して、重り４５の重量によって引っ張られるようにワイヤ３９を中空部３の縁部に沿って中空部３内の下方に向けて徐々に降ろすと、このワイヤ３９に縛り付けられているカメラ４７も中空部３内を中空部３の縁部に沿って徐々に下方に降りることができるので、この降りる途中でカメラ４７により中空部３内における複数の下部補強材５、配置調整用棒状部材７、均等配置手段９の配置状態を逐次撮像し、この逐次撮像した映像をモニタ５３で観察して中空部３内に複数の下部補強材５、配置調整用棒状部材７、均等配置手段９が適正に配置されているか否かを確認する。
【００９６】
以上のようにしてカメラ４７とモニタ５３を利用した適正配置確認動作が終了すると、次に１５（ｂ）に示すように、補強前コンクリート製電柱１の開口部１ｅに漏斗状部材６３を取り付け、バケツ６５から漏斗状部材６３を介して補強前コンクリート製電柱１の中空部３内に隙間充填材である無収縮モルタル６７を垂れ流すように投入し、複数の下部補強材５、配置調整用棒状部材７、均等配置手段９の間の隙間を該無収縮モルタル６７で充填する（ステップＳ２３）。この段階における無収縮モルタル６７の充填は、少なくとも複数の下部補強材５の上端部が隠れる程度まで行う。
【００９７】
次に、図１６（ａ）に示すように、上部補強材１３を補強前コンクリート製電柱１の開口部１ｅから中空部３内のほぼ真中に挿入し、この下端部の重棒１３ａが図１６（ｂ）に示すように複数の下部補強材５の上端部付近に到達するまで上部補強材１３を中空部３内に吊り降ろし、その位置に設定する。
【００９８】
このように上部補強材１３を吊り降ろした後、補強前コンクリート製電柱１の開口部１ｅから中空部３内に更に無収縮モルタル６７を投入し、上部補強材１３と中空部３の内壁との間の隙間を無収縮モルタル６７で充填する。この無収縮モルタル６７の充填は、補強前コンクリート製電柱１の頂頭部１ｃの開口部１ｅが塞がるまで行われる。このように無収縮モルタル６７による充填が完了した後、頂頭部１ｃの開口部１ｅを末口蓋１ｄで閉塞する（ステップＳ２５）。この末口蓋１ｄの閉塞では、ボルトを用いるとともに、このボルトを用いた部分を例えば速硬セメントで固めて修復し、これにより補強前コンクリート製電柱１は補強され、補強コンクリート製電柱１０として復旧し完成する（ステップＳ２７）。
【図面の簡単な説明】
【００９９】
【図１】本発明の一実施形態に係わるコンクリート製電柱の補強方法により補強されたコンクリート製電柱の内部構造を示す断面図である。
【図２】図１に示す実施形態の補強されたコンクリート製電柱に使用される下部補強材および上部補強材を示す図である。
【図３】図１に示す実施形態の補強されたコンクリート製電柱に使用される配置調整用棒状部材および延長用棒状部材を示す図である。
【図４】図１に示す実施形態のコンクリート製電柱の補強方法の処理手順を示すフローチャートである。
【図５】図１に示す実施形態のコンクリート製電柱の補強方法においてコンクリート製電柱の頂頭部に振れ止めガイドを取り付ける様子を示す説明図である。
【図６】図５に示した振れ止めガイドを用いて下部補強材や下部配置調整用棒状部材をコンクリート製電柱の中空部内に挿入する様子を示す説明図である。
【図７】図１に示す実施形態のコンクリート製電柱の補強方法においてコンクリート製電柱の頂頭部に取り付けた振れ止めガイドに取り付けられる落下防止ネットおよびこの落下防止ネットを取り付けた状態を示す説明図である。
【図８】図１に示す実施形態のコンクリート製電柱の補強方法においてコンクリート製電柱の頂頭部の末口蓋をバールや金槌を用いて取り外す様子を示す説明図である。
【図９】図１に示す実施形態のコンクリート製電柱の補強方法に使用されるテスト用配置調整冶具を示す図である。
【図１０】図９に示したテスト用配置調整冶具を用いてコンクリート製電柱の中空部内の状態を確認する手順を示す説明図である。
【図１１】図１に示す実施形態のコンクリート製電柱の補強方法においてカメラおよびモニタを用いてコンクリート製電柱の中空部内の状況を確認する様子を示す説明図である。
【図１２】図１に示す実施形態のコンクリート製電柱の補強方法においてコンクリート製電柱の中空部内に複数の下部補強材や下部配置調整用棒状部材を挿入する動作を示す説明図である。
【図１３】図１２に続いて下部配置調整用棒状部材を更に中空部内の下方に挿入し、更に下部配置調整用棒状部材に上部配置調整用棒状部材を連結した状態を示す説明図である。
【図１４】図１３に続いて上部配置調整用棒状部材に下部延長用棒状部材を連結し、下部延長用棒状部材に上部延長用棒状部材を連結した様子を示す説明図である。
【図１５】図１４に続いてコンクリート製電柱の頂頭部の振れ止めガイドを取り外し、コンクリート製電柱の開口部から中空部内に無収縮モルタルを投入する様子を示す説明図である。
【図１６】図１５に続いて上部補強材１３を挿入してから、更にコンクリート製電柱の中空部の全体に無収縮モルタルを充填した状態を示す説明図である。
【図１７】複数の下部補強材を均等に配置する均等配置手段の構成を示す斜視図である。
【図１８】図１７に示した均等配置手段の構造を更に詳しく示す斜視図である。
【図１９】図１７、１８に示した均等配置手段を細く閉じた状態を示す斜視図である。
【図２０】コンクリート製電柱の中空部内に複数の下部補強材が均等に配置されているか否かをカメラとモニタを用いて確認する様子を示す説明図である。
【図２１】補強前コンクリート製電柱の立設状態および断面を示す図である。
【符号の説明】
【０１００】
１    補強前コンクリート製電柱
１ｃ    頂頭部
１ｄ    末口蓋
１ｅ    開口部
３    中空部
５    下部補強材
７    配置調整用棒状部材
９    均等配置手段
１０    補強コンクリート製電柱
１１    紐
１３    上部補強材
２１    振れ止めガイド
２１ａ    環状部
２１ｃ    切り欠き部
２５    延長用棒状部材
２７    下部延長用棒状部材
２９    上部延長用棒状部材
３１    落下防止ネット
３３    テスト用配置調整冶具
４７    カメラ
５３    モニタ
６７    無収縮モルタル
７１    下部配置調整用棒状部材
７３    上部配置調整用棒状部材
１３８    貫通部  
【図１】
2005307479.tif 000003
【図２】
2005307479.tif 000004
【図３】
2005307479.tif 000005
【図４】
2005307479.tif 000006
【図５】
2005307479.tif 000007
【図６】
2005307479.tif 000008
【図７】
2005307479.tif 000009
【図８】
2005307479.tif 000010
【図９】
2005307479.tif 000011
【図１０】
2005307479.tif 000012
【図１１】
2005307479.tif 000013
【図１２】
2005307479.tif 000014
【図１３】
2005307479.tif 000015
【図１４】
2005307479.tif 000016
【図１５】
2005307479.tif 000017
【図１６】
2005307479.tif 000018
【図１７】
2005307479.tif 000019
【図１８】
2005307479.tif 000020
【図１９】
2005307479.tif 000021
【図２０】
2005307479.tif 000022
【図２１】
2005307479.tif 000023